(57)【要約】  型部品（９０）の型キャビティ面（９１、９２、９３）に対して所定の位置に所定の方向で配置された熱可塑性材料の特別な形状のビレット（６０）を使用する圧縮成形方法により、成形品が製造される。好ましい実施例では、ビレット（６０）がほぼ卵形であり、２つの大きなキャビティ領域間に小さな型キャビティ領域を画定する型面（９２）に隣接して配置される。
2005514227.tif 000002
【特許請求の範囲】
【請求項１】
第１の部分と、前記第１の部分よりも小さい第２の部分と、前記第２の部分よりも大きい第３の部分とを有する一体構成の物品を製造するための方法であって、
（Ａ）（１）前記第１の部分の第１の側を画定する第１の面領域と、（２）前記第２の部分の第１の側を画定する第２の面領域と、（３）前記第３の部分の第１の側を画定する第３の面領域とを有する第１の型部品を設けるステップと、
（Ｂ）前記第１の型部品から離間した位置で、（１）前記第１の部分の第２の側を画定する第１の面領域と、（２）前記第２の部分の第２の側を画定する第２の面領域と、（３）前記第３の部分の第２の側を画定する第３の面領域とを有する第２の型部品を設けるステップと、
（Ｃ）所定の形状を有するビレットを熱可塑性材料の溶融物から生成するステップと、
（Ｄ）前記ビレットの少なくとも一部が前記第１の型部品の第２の面領域に隣接して配置される所定の方向に、前記ビレットを配置するステップと、
（Ｅ）前記第１の型部品と前記第２の型部品との間の空間を減少させて前記ビレットを圧縮し、前記熱可塑性材料が前記型部品間を流れるようにするステップと、
（Ｆ）前記熱可塑性材料が凝固して物品を形成した後に、前記型部品間の空間を増加させて前記物品を取り外すステップとを含む方法。
【請求項２】
前記ステップ（Ｄ）が、前記ビレットの少なくとも一部を前記第１の型部品の第２の面領域に接触させて配置するステップを含む、請求項１に記載の方法。
【請求項３】
前記ステップ（Ａ）が、前記第１の型部品の第１、第２、第３の面領域が、地球の重力の方向からほぼ離れた方向を向くように第１の型部品を方向付けするステップを含み、
前記ステップ（Ｄ）が、前記ビレットの少なくとも一部が前記第１の型部品の第２の面領域により支持されるように、前記ビレットを前記第１の型部品上に直接配置するステップを含む、請求項２に記載の方法。
【請求項４】
前記ステップ（Ｃ）が、大端部と小端部とを持つほぼ卵形となるように前記ビレットを生成するステップを含む、請求項１に記載の方法。
【請求項５】
前記ステップ（Ｄ）が、前記小端部を前記第１の型部品の第３の面領域に隣接させて垂れ下げ、かつ前記大端部を前記第１の型部品の第１の面領域に隣接させて垂れ下げるように前記ビレットを配置するステップを含む、請求項４に記載の方法。
【請求項６】
前記ステップ（Ｃ）が、ほぼ楕円形の出口オリフィスを通して前記溶融物を押し出すステップを含む、請求項１に記載の方法。
【請求項７】
前記物品が密閉手段であり、前記第１の部分が前記密閉手段の本体であり、前記第２の部分が前記密閉手段のヒンジであり、前記第３の部分が前記密閉手段の蓋である、請求項１に記載の方法。
【請求項８】
第１の部分と、前記第１の部分よりも小さい第２の部分と、前記第２の部分よりも大きい第３の部分とを有する一体構成の物品であって、
（Ａ）（１）前記第１の部分の第１の側を画定する第１の面領域と、（２）前記第２の部分の第１の側を画定する第２の面領域と、（３）前記第３の部分の第１の側を画定する第３の面領域とを有する第１の型部品を設けるステップと、
（Ｂ）第１の型部品から離間した位置で、（１）前記第１の部分の第２の側を画定する第１の面領域と、（２）前記第２の部分の第２の側を画定する第２の面領域と、（３）前記第３の部分の第２の側を画定する第３の面領域とを有する第２の型部品を設けるステップと、
（Ｃ）所定の形状を有するビレットを熱可塑性材料の溶融物から生成するステップと、
（Ｄ）前記ビレットの少なくとも一部が前記第１の型部品の第２の面領域に隣接して配置される所定の方向に、前記ビレットを配置するステップと、
（Ｅ）前記第１の型部品と前記第２の型部品との間の空間を減少させて前記ビレットを圧縮し、前記熱可塑性材料が前記型部品間を流れるようにするステップと、
（Ｆ）前記熱可塑性材料が凝固して物品を形成した後に、前記型部品間の空間を増加させて前記物品を取り外すステップとを含む方法により製造される物品。
【請求項９】
前記物品が密閉手段であり、前記第１の部分が前記密閉手段の本体であり、前記第２の部分が前記密閉手段のヒンジであり、前記第３の部分が前記密閉手段の蓋である、請求項８に記載の物品。
【請求項１０】
少なくとも１つの大端部とより小さな領域とを持つ形状の熱可塑性材料の塊を含む、圧縮成形のためのビレット。
【請求項１１】
前記塊がほぼ卵形である、請求項１０に記載のビレット。
【請求項１２】
前記より小さな領域が細長部であり、前記１つの大端部がほぼ骨端部形状である、請求項１０に記載のビレット。
【請求項１３】
ほぼ楕円平面形の出口オリフィスを通して熱可塑性材料の溶融物を押し出して、前記オリフィスから突出する押出熱可塑性材料の所定の塊を形成するステップと、
前記塊を周方向に膨らますステップと、
前記塊を前記出口オリフィスから切断して卵形ビレットを形成するステップとを含む方法により製造されるビレット。
【請求項１４】
ほぼ楕円平面形の出口オリフィスを通して熱可塑性材料の溶融物を押し出して、前記オリフィスから突出する押出熱可塑性材料の所定の塊を形成するステップと、
前記塊を周方向に膨らますステップと、
前記塊を前記出口オリフィスから切断して卵形ビレットを形成するステップとを含む、ビレットを製造するための方法。
【請求項１５】
少なくとも１つの大端部とより小さな領域とを持つ平面形状の出口オリフィスを通して熱可塑性材料の溶融物を押し出して、前記オリフィスから突出する押出熱可塑性材料の所定の塊を形成するステップと、
前記塊を周方向に膨らますステップと、
前記塊を前記出口オリフィスから切断して細長ビレットを形成するステップとを含む方法により製造されるビレット。
【請求項１６】
少なくとも１つの大端部とより小さな領域とを持つ平面形状の出口オリフィスを通して熱可塑性材料の溶融物を押し出して、前記オリフィスから突出する押出熱可塑性材料の所定の塊を形成するステップと、
前記塊を周方向に膨らますステップと、
前記塊を前記出口オリフィスから切断して細長ビレットを形成するステップとを含む、ビレットを製造するための方法。
【発明の詳細な説明】
【技術分野】
【０００１】
本発明は、圧縮成形品及び該成形品を製造するための圧縮成形プロセスに関する。該プロセスは、特に、本体と、蓋と、一体接続ヒンジとを含む、容器の分配密閉手段を製造するのに適している。
【背景技術】
【０００２】
ローション、シャンプー、流動性食品（例えば、ケチャップ、瓶詰めの水等）、粘性食品（例えばピーナッツ・バター）、粉末、洗剤等の製品の、小型で手に持つことができる、絞り出し可能な、又は剛性の容器に使用する密閉手段には、２つの基本的なタイプがある。
【０００３】
１つの基本的なタイプの密閉手段は、ねじ込んで着脱することのできる、又は取外し可能なスナップ嵌めビード係合を持つ容器に保持される単純なワンピースキャップである。
【０００４】
別の基本的なタイプの密閉手段は「分配」密閉手段であり、このような分配密閉手段の一形態は、（１）容器の首また口に密閉的取り付けられるように設計された本体部品と、（２）蓋部品と、（３）蓋を本体に取り付けて、蓋を開放位置と閉鎖位置との間で移動させることのできるヒンジとから構成されるヒンジ式分配密閉手段である。本体部品は、製品を容器から噴出させ、注ぎ、すくい、又は放出、排出させ、若しくは分配することのできる分配オリフィス、すなわち、開口を有する。蓋部品は、蓋が閉鎖位置にあるときに、本体の分配オリフィスを密閉して製品が容器から欲されることなく排出されるのを防止するシール部材を含む。
【０００５】
ヒンジ式分配密閉手段（及び２つの以上の質量体を相互に接続する薄肉部材を有する不規則又は非対称な形状の他の多くの物品）は、ポリエチレン、ポリプロピレン等の剛性又は半剛性の熱可塑性樹脂から製造され、長年市販されている。このような分配密閉手段を組み込んだパッケージは、容器から製品を分配するときに便利さと美しさをアピールするのに非常に有利である。しかし、分配密閉手段は成形が複雑であるため、より単純な非分配密閉手段と比べると、コストの面で従来不利であった。
【０００６】
ヒンジ式分配密閉手段は、一般に、又は従来、本体と、蓋と、ヒンジとを有する単一のワンピース構造として、あるいは、その後で組み立てて、本体と蓋とがヒンジ止めされる最終的な組立密閉手段を製造しなければならない別々の本体部品及び蓋部品として射出成形される。分配密閉手段が複数部品アセンブリ（例えば本体部品と蓋部品）として射出成形される場合、各部品用に別個の型が必要となる。代わりに分配密閉手段が単一のワンピース部品として射出成形される場合でも、ワンピース部品が占める型の表面積又は空間は、単純な非分配密閉手段の相当する型の表面積又は空間の約２倍となる。したがって、このような分配密閉手段の射出成形プロセスには、一般に、同一の容器口の単純な非分配密閉手段を射出成形するためのプロセスと比べて、射出成形型、射出成形プレス、及び他の成形資源のコストに約２倍の投資が必要となる。このため、非分配密閉手段を製造するためのコストに相当する設備投資コスト及び運転コストで、ほとんど、又は全く無駄を生じることなく非常に速い射出成形速度でヒンジ式分配密閉手段を製造することができる、改良された方法を有することは、製造者にとって営業上非常に有利である。
【０００７】
射出成形方法は長い間熱可塑性樹脂品の製造に使用されており、この方法は、時が経つにつれて、改良された電子制御油圧システム等の導入により効率がよくなってきている。キャビティ（すなわち「キャビテーション」）の数を増やした、より大きな型構造の導入により、プロセスの生産量を増加させることもできる。さらに、複数の成形面を持つ型（例えば「積重ね型」）が現在業務用に使用されている。これらの改良の各々が、単一の成形装置の生産量を増加させるのを助けているが、大きさ、重量、投資コストの不利益がないわけではない。より大きな装置及び型のコスト、大きさ、並びに重量は、型及び装置の大きさ、キャビテーション、並びに複雑さの増加とは不釣合いに大きく増加するが、部品の製造率は、一般に型キャビティの数の増加に比例してのみ増加する。これに関し、より大型の射出成形装置の大きさ及び重量の増加は、必要な資金及び資源投資に対する生産利益の実際上限界ケースに近づいていることがわかる。
【０００８】
プラスチック品を成形するための別の方法である「圧縮」成形方法が、長年存在する。初期の実施では、圧縮成形を使用してフェノールホルムアルデヒド、ユリアホルムアルデヒド等の樹脂から剛性の熱硬化性樹脂プラスチック品を製造していた。最近は、圧縮成形プロセスにより、ポリエチレン、ポリプロピレン等の熱可塑性樹脂から半剛性プラスチック品が製造される。
【０００９】
圧縮成形方法により熱硬化性樹脂プラスチック品を製造する場合、通常、粒状又は粉末状の未硬化樹脂を型キャビティ部分の加熱した型キャビティに充填し、型の中子部分をキャビティ部分に対して大きな力で押圧することにより型を閉じて、キャビティ内に高圧を発生させる。結果として生じる熱と圧力との組合せにより、樹脂材料は最初に半固体状態に溶解して、中子部分とキャビティ部分との間の型容積を完全に満たし、その後樹脂の反応化学架橋により硬化する。十分な硬化時間が経過すると、成形品が型から取り外され、更なる処理又は仕上げ前に周囲温度で冷却される。
【００１０】
熱硬化性樹脂圧縮成形方法で製造されたプラスチック品は、一般に、樹脂の物理的特性により、非常に耐久性のあるかなり重いものとなる。成形ステップ中の樹脂の流れ制限により、このような成形品は、一般に、最終幾何学形状に制限され、左右対称の円筒形、球形、又は矩形の固体構成となる傾向がある。実際に、樹脂を非常に不規則な形状にうまく流し込むことはできない。
【００１１】
従来の圧縮成形により熱可塑性樹脂プラスチック品を製造する場合、加熱され溶融された熱可塑性樹脂の正確に量られた円筒形の充填物が、押出成形機、計量ポンプ、及び切断ナイフの動作により生成され、円筒形の充填物は型の冷却キャビティに投入される。次に、型の中子部分を型のキャビティ部分に押圧することにより型が閉鎖される。型部分が閉鎖されると、加圧溶融プラスチック樹脂が中子とキャビティとの間の容積を急速に満たす。短い冷却期間の後、型が開かれ、完成した成形品が型から取り外されて、すぐに使用できる状態となる。この方法、及び方法により製造された製品は公知であり、米国特許第４，３４３，７５４号、第４，６６４，２８０号、第４，６７４，６４３号、第４，４９７，７６５号、第５，６５０，１１３号、及び第５，６５８，５１８号、並びにＷＯ０１／３４３６２Ａ１（ＰＣＴ／ＧＢ００／０４１７５）等の種々の特許に記載されている。
【００１２】
市販の射出成形運転と比べると、溶融プラスチックを市販の圧縮成形装置に導入してから完成品を取り出すまでに必要な周期時間は短い。しかし、従来、圧縮成形熱硬化性物品と同様に、圧縮成形熱可塑性物品は、射出成形品よりも低い全体コストでの、より高速な製造に適応するが、型部分が閉鎖位置に移動して樹脂を所望の物品形状に形成するときの溶融熱可塑性樹脂の流れ制限により、左右対称の、主に円筒形の構成に限定されている。このような形状及び流れ制限のため、従来、圧縮成形プロセスを経済的に使用して、ヒンジ式分配密閉手段等の変わった形状の物品を商業規模で経済的に製造することはできなかった。
【００１３】
従来の商業上の適用で現在実施されているように、熱可塑性樹脂物品の圧縮成形は、溶融樹脂の円筒形計量充填物又はペレットを型キャビティの比較的ランダム位置に物理的に投入することに依拠している。物理的重量及び容積が同一でない本体部品と蓋部品とを有し、２つの部品が薄膜ヒンジにより接合されるヒンジ式分配密閉手段の場合、左右対称の円筒形の樹脂充填物又はペレットを型キャビティ内にランダム配置することへの依拠は受け入れられないことを、発明者らは見出した。型を閉鎖してこのようなペレットを圧縮するときに、凝固が生じる前に溶融プラスチック樹脂が型の中子とキャビティとの間の空隙容積の全領域に確実に一定して流れ込むようにすることはできない。
【発明の開示】
【発明が解決しようとする課題】
【００１４】
圧縮成形プロセスにより不規則な形状の物品、特にヒンジ式分配密閉手段の商業的な製造を可能にする、型キャビティ内の樹脂充填物の形状及び配置を制御するための改良されたシステムが発明された。
【００１５】
溶融プラスチック押出成形品の円筒形ペレット又はビレットを単に切断し、型キャビティに自由に投入する従来の方法の代わりに、分配密閉手段の本体、ヒンジ、及び蓋領域等の型の種々の領域にわたって好ましい量のプラスチックを導入するように設計された特別な構成を有するビレット又はペレットの形状において、特別な非円筒形の容積／形状が押出成形品に与えられる。正確に計量された独特の形状の押出成形品、ペレット、又はビレットは、好ましくは、送出チューブの面から剪断され、取上げ載置装置により捕捉され、型の所望の位置に正確に配置される。型を閉鎖してビレット又はペレットを加圧すると、ビレット又はペレットは溶融プラスチックとして急速に流れて、予熱した型の中子部分と型キャビティ部分との空隙容積全体を直接満たす。
【００１６】
この圧縮成形方法を使用してヒンジ式分配密閉手段を成形するときに、（１）押出成形品の形状、（２）ビレット切断パラメータ、及び（３）型の表面にわたるビレットの配置により、成形樹脂を正確かつ適切に分配して、非常に高速で、材料を無駄にすることなく、ほぼ応力のない状態又は低応力状態で、成形部品の全域を完全に満たすことができる。したがって、この方法は、現在使用されている射出成形方法に比べて、全体コストが非常に有利なこのような分配密閉手段を製造するという利点をもたらす。
【課題を解決するための手段】
【００１７】
本発明の一態様によれば、本体と、蓋と、本体及び蓋を接続するヒンジとを有する密閉手段を製造するための方法が提供される。該方法は、
（Ａ）（１）本体の第１の側を画定する第１の面領域と、（２）ヒンジの第１の側を画定する第２の面領域と、（３）蓋の第１の側を画定する第３の面領域とを有する第１の型部品を設けるステップと、
（Ｂ）第１の型部品から離間した位置で、（１）本体の第２の側を画定する第１の面領域と、（２）ヒンジの第２の側を画定する第２の面領域と、（３）蓋の第２の側を画定する第３の面領域とを有する第２の型部品を設けるステップと、
（Ｃ）所定の形状を有するビレット（例えば、ペレット、塊等）を熱可塑性材料の溶融物から生成するステップと、
（Ｄ）ビレットの少なくとも一部が第１の型部品の第２の面領域に隣接して配置される所定の方向に、ビレットを配置するステップと、
（Ｅ）第１の型部品と第２の型部品との間の空間を減少させてビレットを圧縮し、熱可塑性材料が型部品間を流れるようにするステップと、
（Ｆ）熱可塑性材料が凝固して密閉手段を形成した後に、型部品間の空間を増加させて密閉手段を取り外すステップとを含む。
【００１８】
本発明のより一般的な態様によれば、第１の部分と、第１の部分よりも小さい第２の部分と、第２の部分よりも大きい第３の部分とを有する一体構成の物品を製造するための方法が提供される。方法は、
（Ａ）（１）第１の部分の第１の側を画定する第１の面領域と、（２）第２の部分の第１の側を画定する第２の面領域と、（３）第３の部分の第１の側を画定する第３の面領域とを有する第１の型部品を設けるステップと、
（Ｂ）第１の型部品から離間した位置で、（１）第１の部分の第２の側を画定する第１の面領域と、（２）第２の部分の第２の側を画定する第２の面領域と、（３）第３の部分の第２の側を画定する第３の面領域とを有する第２の型部品を設けるステップと、
（Ｃ）所定の形状を有するビレットを熱可塑性材料の溶融物から生成するステップと、
（Ｄ）ビレットの少なくとも一部が第１の型部品の第２の面領域に隣接して配置される所定の方向に、ビレットを配置するステップと、
（Ｅ）第１の型部品と第２の型部品との間の空間を減少させてビレットを圧縮し、熱可塑性材料が型部品間を流れるようにするステップと、
（Ｆ）熱可塑性材料が凝固して物品を形成した後に、型部品間の空間を増加させて物品を取り外すステップとを含む。
【００１９】
本発明のさらに別の態様によれば、本体と、蓋と、本体及び蓋を接続するヒンジとを含む一体構成の部品を持つ密閉手段が提供される。密閉手段は、
（Ａ）（１）本体の第１の側を画定する第１の面領域と、（２）ヒンジの第１の側を画定する第２の面領域と、（３）蓋の第１の側を画定する第３の面領域とを有する第１の型部品を設けるステップと、
（Ｂ）第１の型部品から離間した位置で、（１）本体の第２の側を画定する第１の面領域と、（２）ヒンジの第２の側を画定する第２の面領域と、（３）蓋の第２の側を画定する第３の面領域とを有する第２の型部品を設けるステップと、
（Ｃ）所定の形状を有するビレットを熱可塑性材料の溶融物から生成するステップと、
（Ｄ）ビレットの少なくとも一部が第１の型部品の第２の面領域に隣接して配置される所定の方向に、ビレットを配置するステップと、
（Ｅ）第１の型部品と第２の型部品との間の空間を減少させてビレットを圧縮し、熱可塑性材料が型部品間を流れるようにするステップと、
（Ｆ）熱可塑性材料が凝固して密閉手段を形成した後に、型部品間の空間を増加させて密閉手段を取り外すステップとを含む方法により製造される。
【００２０】
本発明のより一般的な態様によれば、第１の部分と、第１の部分よりも小さい第２の部分と、第２の部分よりも大きい第３の部分とを有する一体構成の物品が提供される。第２の部分は、第１の部分と第３の部分との間に延びてこれらを接続する。該物品は、
（Ａ）（１）第１の部分の第１の側を画定する第１の面領域と、（２）第２の部分の第１の側を画定する第２の面領域と、（３）第３の部分の第１の側を画定する第３の面領域とを有する第１の型部品を設けるステップと、
（Ｂ）第１の型部品から離間した位置で、（１）第１の部分の第２の側を画定する第１の面領域と、（２）第２の部分の第２の側を画定する第２の面領域と、（３）第３の部分の第２の側を画定する第３の面領域とを有する第２の型部品を設けるステップと、
（Ｃ）所定の形状を有するビレットを熱可塑性材料の溶融物から生成するステップと、
（Ｄ）ビレットの少なくとも一部が第１の型部品の第２の面領域に隣接して配置される所定の方向に、ビレットを配置するステップと、
（Ｅ）第１の型部品と第２の型部品との間の空間を減少させてビレットを圧縮し、熱可塑性材料が型部品間を流れるようにするステップと、
（Ｆ）熱可塑性材料が凝固して物品を形成した後に、型部品間の空間を増加させて物品を取り外すステップとを含む方法により製造される。
【００２１】
本発明のさらに別の態様では、圧縮成形のためのビレット（例えばペレット）が提供される。ビレットは、少なくとも１つの大端部とより小さな領域とを持つ形状の熱可塑性材料の塊である。密閉手段成形の適用のためのビレットの一形態では、ビレットはほぼ卵形である。
【００２２】
ビレットは、
（Ａ）少なくとも１つの大端部とより小さな領域とを持つ平面形状（例えば、ほぼ楕円平面形等の規則的でない非対称形）の出口オリフィスを通して熱可塑性材料の溶融物を押し出して、オリフィスから突出する押出熱可塑性材料の所定の塊を形成するステップと、
（Ｂ）塊を周方向に膨張又は膨らますステップと、
（Ｃ）塊を出口オリフィスから切断して細長ビレット（例えば卵形ビレット）を形成するステップとを含むプロセスにより製造された製品として特徴付けられる。
【００２３】
本発明によれば、ビレットは、
（Ａ）少なくとも１つの大端部とより小さな領域とを持つ平面形状（例えば、ほぼ楕円平面形等の規則的でない非対称形）の出口オリフィスを通して熱可塑性材料の溶融物を押し出して、オリフィスから突出する押出熱可塑性材料の所定の塊を形成するステップと、
（Ｂ）塊を周方向に膨張又は膨らますステップと、
（Ｃ）塊を出口オリフィスから切断して細長ビレット（例えば卵形ビレット）を形成するステップとを含む方法自体により製造することができる。
【００２４】
熱可塑性分配密閉手段、又は規則的でない及び／又は非対称な形状の他のタイプの製品も、本発明の方法により効果的に製造できることが容易にわかる。
【００２５】
本発明のその他の多くの利点及び特徴は、以下の本発明の詳細な説明、特許請求の範囲、及び添付図面から容易に明らかになろう。
【００２６】
明細書の一部を形成する添付図面全体を通して、同一の符号を使用して同一の部品を示す。
【実施例】
【００２７】
本発明は、多くの異なる形態の実施例が可能であるが、本明細書及び添付図面は、本発明の実施例として特定の形態のみを開示する。しかし、本発明は、記載された実施例に限定されるものではない。本発明の範囲は添付の特許請求の範囲で指摘される。
【００２８】
説明を容易にするために、本発明のプロセス及び物品の態様を示す図の大部分は、物品及び部品を一般的な方向で示し、この位置を参照して上、下、水平等の用語が使用される。しかし、本発明のプロセスを他の方向で行うことができ、本発明の物品を、記載した方向以外の方向で製造、保管、輸送、使用、及び販売することができることを理解されたい。
【００２９】
本発明のプロセスにより圧縮成形された分配密閉手段の形状の、本発明の物品の一実施例は、種々の設計を有する種々の従来の容器又は特別な容器と共に使用するのに適している。設計の詳細については図示又は説明しないが、この種の容器についての知識を持つ当業者には明らかであろう。
【００３０】
分配密閉手段の形状の本発明の物品の一実施例が図１〜図３に示され、図１で全体が参照符号２０で示される。図示した実施例では、分配密閉手段２０（以下で単に「密閉手段２０」と呼ぶこともある）が、容器（図１には示さず）の上部に取り付けられる別個に製造されたユニット又はサブアセンブリとして提供される。
【００３１】
一般に、容器は、容器内部と内部に含まれる製品とに届く従来の口又は開口を有する。製品は、例えば、水等の飲料又は他の液体食料品等とすることができる。製品は、限定されないが、気体、粉末、粒子、及び液体（クリーム、ローション、スラリ、ペースト等を含む）を含む他の流動性物質とすることもできる。この種の物質は、例えば、食品、パーソナルケア製品、工業用品若しくは家庭用品、又は他の合成物（例えば、人又は動物が内用又は外用するため、あるいは医学、製造、営業又は家庭の管理、建設、農業等を含む行為で使用するための合成物）として販売することができる。
【００３２】
一般に、容器は、容器の口を画定する首又は他の適宜の構成を有する。首は（必要ではないが）円形横断面構成を有することができ、容器本体は、例えば楕円横断面形状等の別の横断面構成を有することができる。一方、容器は、大きさが小さい又は横断面が異なる首部なしで、長さ又は高さ全体に沿ってほぼ均一な形状とすることもできる。
【００３３】
一般に、容器は可撓性の壁を有する絞り出し可能な容器であり、ユーザがこの壁を掴んで圧縮することにより容器の内圧を高めて、密閉手段２０が開くときに密閉手段２０を通して容器から製品を搾り出せるようになっている。この種の容器壁は、一般に、十分な固有の弾性を有するため、搾出力が解除されると、容器壁は通常の応力を受けない形状に戻る。多くの適用ではこのような構造が好ましいが、この構造が必要ないか、又は好ましくない場合もある。実際には、容器がほぼ剛性の場合もある。この剛性の容器にはピストンが設けられて、製品、特に比較的粘性の製品の分配を助ける。一方、容器内部は全く加圧される必要がない。代わりに、開いた密閉手段を通してスプーンやストローを製品に届かせ、又はパッケージを逆にして、単に重力の影響及び／又は容器外側の低い周囲圧力の影響により（例えば、開いた密閉手段２０で吸引することにより）、開いた密閉手段を通して製品を排出させる。
【００３４】
図１に見られるように、密閉手段２０は、本体２２と、蓋２４と、本体２２及び蓋２４の間に延びてこれらを接続するヒンジ２６とを含む。詳細に後述するように、密閉手段２０は圧縮成形されて、成形されたままの状態で図１に示す完全に開いた向きの蓋２４を有する一体構造を生成する。
【００３５】
密閉手段本体２２は、全体が中空で全体が円筒形のベース又はスカート２８と、スカート２８の上部から半径方向内側に延びる環状段差部３０と、一段高いデッキ３２と、デッキ３２から上方へ延びて分配開口３６を画定する縮径口３４とを有する。
【００３６】
図３に見られるように、スカート２８の内部は内部突起又はスナップ・ビード３８を形成する。スカート２８は、容器の口又は首（図示せず）の上端部を受けるように構成される。スカート・ビード３８は、容器の口又は首でビード又は溝に係合するように構成される。
【００３７】
あるいは、密閉手段のスカート２８は、容器の首（図示せず）にある嵌合ビード（図示せず）又はねじ山（図示せず）に係合するためのビード３８の代わりに、溝（図示せず）又はねじ山（図示せず）等の他の容器接続手段を備えることができる。別の代替例（図示せず）では、密閉手段本体のスカート２８が異なる構成を有し、密閉手段が、圧縮成形後に、容器及び密閉手段の本体２２に使用される材料に応じて、誘導溶融、超音波溶融、接着等により容器に永久的に固定される。
【００３８】
図３に示すように、密閉手段本体２２は、密閉手段本体デッキ３２から下方に突出する環状プラグ・シール３９を含む。プラグ・シール３９は容器の首の開口に入り、容器の首の内面に対してシールを形成するように構成される。他の形状のシールを代わりに使用してもよい。
【００３９】
密閉手段本体２２は、保持装置（図示せず）に係合して、弾性のスリット型弁（図示せず）を分配開口３６に隣接して保持するための環状壁４０をさらに含む。この種の弁は、米国特許第５，６７６，２８９号に開示されている。この種の弁と、弁を密閉手段本体内に保持するための適宜の保持装置とは、本発明の一部を形成するものではない。この種の弁を密閉手段と共に使用する必要は全くなく、密閉手段は、単に特定の分配の適用のための適宜の大きさの分配オリフィス３６を有して、密閉手段２０が取り付けられる容器に直接連通していればよい。
【００４０】
図１に示すように、密閉手段本体スカート２８の前部は、好ましくは、ユーザの親指の位置に対応する、押し上げて蓋２４を開けるための凹み又は親指持上げ領域４２を形成する。蓋２４は、密閉手段本体デッキ３２から外方に延びるリップ４４（図３）との係合により、閉鎖構成（図示せず）に保持される。蓋２４は、内側に突出するリブ４８（図３）を有するフランジ４６を含み、リブ４８は蓋２４の閉鎖時に密閉手段本体のリップ４４に係合する。
【００４１】
蓋２４はフランジ４６にわたして延びる上壁５０を含み、図３に示すように環状密閉カラー５２が上壁５０から突出する。蓋２４の閉鎖時に、カラー５２は密閉手段本体の口３４の周囲に密閉係合する。
【００４２】
密閉手段の蓋フランジ４６は、隣接する外方突起５８を画定するアンダーカット前領域５６を含み、外方突起５８はユーザの親指に係合して、閉鎖した蓋２４を密閉手段本体２２から離して開放位置へ押し上げる。
【００４３】
図３に示すように密閉手段ヒンジ２６は、一般に、圧縮成形プロセス中に密閉手段２０の一体部分として形成された材料のかなり薄い部分である。一般に、種々のヒンジ設計を使用することができる。望ましい動作特性を有する１つのヒンジは、図１〜図３に示す米国特許第５，６４２，８２４号に詳細に開示された双安定スナップ動作ヒンジである。可撓性ヒンジ又はつなぎヒンジ等の他の種類のヒンジ構造を使用することもできる。
【００４４】
一般に、ヒンジ２６は隣接する本体２２及び隣接する蓋２４と比べてかなり薄いため、熱可塑性材料から密閉手段を成形するのは難しい。「背景技術」の欄で前記したように、成形の難しさは、型キャビティに入れる熱可塑性材料の流れ制限があるために生じる。さらに、従来技術の成形プロセスでは、かなりの応力が密閉手段に不必要に加わる。しかし、本発明のプロセス態様によれば、前記密閉手段２０並びに他の密閉手段及び物品は、改良された方法で、このような問題をなくさないにしても経済的にほぼ最小限にするように、効果的に成形される。
【００４５】
密閉手段２０は、特別に形成され圧縮成形装置又は型アセンブリ内で特定の方向に配置されたビレットから圧縮成形される。図４は、参照符号６０で全体を示す特別な形状のビレットの一形態を示す。図１〜図３に示す特定の密閉手段２０を成形するための好ましい形態では、ビレット６０は少なくとも１つの大端部６２と、小端部６４等のより小さな領域とを持つ形状の熱塑性材料の塊である。特定のビレット６０は、不規則な非対称形であり、図４に示す好ましい形態ではほぼ卵形である。ビレット６０は、ポリエチレン、ポリプロピレン等の熱可塑性樹脂から形成される。
【００４６】
図５に示すように、立面又は平面から見ると、ビレット６０はほぼ細長の外形であり、特に、中央領域６６がやや切頭円錐形であるが、ほぼ楕円形である。
【００４７】
本発明のプロセスの一態様の好ましい形態では、ビレット６０が、押出成形機により計量ポンプに送出された熱可塑性溶融物から製造される。この計量ポンプは、図６に示す型板７０等の型板に向けて溶融物を正確に計量する。型板７０は、中央のほぼまっすぐな辺の収束部７４があるにもかかわらず、平面視でほぼ卵形（すなわち長手方向横断面が卵のような形状）又はほぼ楕円形の出口オリフィス７２を形成する。図６では、オリフィス板７０の真下にある押出成形機及び計量ポンプは見られない。
【００４８】
「ほぼ卵形」及び「ほぼ楕円形」という用語は、ビレット６０の外形に当てはめられ、オリフィス７２の外形に当てはめられて、本特許出願で使用されているが、湾曲部の間に延びるほぼまっすぐな部分のある領域を有する不規則な非対称形を意図している。
【００４９】
図７は、オリフィス板７０内の溶融物又は溶融熱可塑性材料が出口オリフィス７２から押し出される状態を示す。出口オリフィス７２から現れる押出成形品は、図７に参照符号７８で全体が示される。図７及び図８に見られるように、押出材料７８の塊は、オリフィス７２の開口を超えて周方向に膨張又は膨らむことができる。
【００５０】
図９及び図１０に示すように、押出熱可塑性材料７８の塊は、オリフィス７２内にある材料の残りの部分から取上げ載置切断装置により切断される。取上げ載置切断装置は、オリフィス板７０の面を横切って動く下側切刃８２（図１０）を含む。
【００５１】
取上げ載置切断装置８０の詳細な設計及び動作は、適宜の従来の設計又は特別な設計であり、これらの詳細は本発明の一部を形成するものではない。実際には、オリフィス７２から突出する押出熱可塑性材料７８を、他の手段により、又は適宜のナイフ又は刃を使用して手でオリフィス７２から切断することができる。
【００５２】
取上げ載置切断装置８０は、押出熱可塑性材料の端部に軽く係合し、押出熱可塑性材料を出口板７０から離して型部品の所定の位置へ移動させることができる。押出材料７８がオリフィス板７０から離されると、押出材料の底部が自由に周方向下方へ膨らんで、全体に下方に露出した楕円形又は卵形の面を形成する。押出熱可塑性材料７８は、切断されてオリフィス板７０から離されると、所望の形状（この場合、図４に示すようにほぼ卵形）のペレット又はビレットとして特徴付けられ、前記したように参照符号６０で示される。
【００５３】
ビレット６０は、取上げ載置切断装置８０により、又は他の手段により（例えば手で）、型部品に隣接する所定の位置へ移動され、このような型部品に対して所定の方向に配置される。図１１は第１の型部品９０の簡略化した概略図である。第１の型部品９０は、密閉手段本体２２（図１）の第１の側を画定する第１の面領域９１を有する。図１１では、第１の面領域９１が、密閉手段本体２２の第１の側を画定するのに必要な種々の個々の面、突起、溝、凹み等のすべてを示すわけではない非常に簡略化した形で示される。
【００５４】
第１の型部品９０は、密閉手段のヒンジ２６（図１）の第１の側を画定する第２の面領域９２を含む。
【００５５】
第１の型部品９０は、密閉手段蓋２４（図１）の第１の側を画定する第３の面領域９３を含む。第１の型部品の第３の面領域９３は、図１１に非常に簡略化した形で示されており、蓋の第１の側を完全に画定するのに必要な面、凹み、溝、開口等が必ずしもすべて示されているわけではない。
【００５６】
型アセンブリは第２の型部品１００を含む。第２の型部品１００は、図１３には閉鎖状態で示されるが図１１には示されない。第２の型部品１００は、初めに第１の型部品９０から離間されてビレット６０の配置に対応する。図１３に示すように、第２の型部品１００は密閉手段本体の第２の側を画定する第１の面領域１０１と、ヒンジの第２の側を画定する第２の面領域１０２と、蓋の第２の側を画定する第３の面領域１０３とを有する。
【００５７】
第１の型部品９０と第２の型部品１００とを初めに離間した状態で、ビレット６０の少なくとも一部を第１の型部品の第２の面領域９２に隣接して配置する所定の方向に、ビレット６０が配置される（図１１に示す）。プロセスの１つの現在好ましい実施例では、ビレット６０がヒンジ９２の第１の側を画定する第２の面領域に実際に配置されて、大端部が第１の型部品の密閉手段本体の第１の面領域９１に隣接するか、又は第１の面領域９１内に延び、ビレット６０の小端部が、蓋の第１の側を画定する第３の面領域９３に隣接するか、又は第３の面領域９３内に延びる。第１の型部品９０の第１、第２、第３の面領域が地球の重力の方向から離れてほぼ上方へ向くように第１の型部品９０が方向付けされると、ビレット６０の２つの端部が重力の影響で下方へ引っ張られるときにビレット６０が第２の面領域９２上でやや垂れ下がる。
【００５８】
ビレット６０が第１の型部品９０に対して適切な位置及び適切な方向に配置されると、第１の型部品９０と第２の型部品１００との間の空間が減少してビレットを圧縮し、図１３に示すように熱可塑性材料が型部品間を流れる。第１の型部品及び第２の型部品の一方又は両方が他方に向かって移動する。第１の型部品及び第２の型部品のこのような移動は、２つの型部品の対向面間の距離を所望の所定間隔まで短縮するものとして理解すべきであり、このような移動は第１の型部品のみ、第２の型部品のみ、あるいは両方の型部品を移動させることにより行うことができる。
【００５９】
型部品が図１３に示す位置まで閉鎖すると、所定の空間構成又は容積が型部品９０、１００間に現れて、成形密閉手段２０（図１に成形して示す）に対応する空隙容積を画定する。ビレット６０の溶融プラスチックは急速に流れて、型内のこのような空隙容積を直接満たす。ビレット６０の方向及び配置（図１１に示す）により、溶融熱可塑性材料は均一に分配されて急速に流れ、材料を無駄にすることなく、ほぼ応力のない状態で密閉手段のすべての領域を満たす。
【００６０】
図１１に関し、密閉手段の大きな塊の密閉手段本体領域の方がより多くの熱可塑性材料を必要とするため、ビレットの大端部が第１の型部品９０の密閉手段本体領域内へ（かつ第２の型部品１００が続けて閉鎖されるときに第２の型部品１００の対応する領域内へ）突出するように、ビレット６０が方向付けされる。反対に、図１１に見られるように、型面領域９３により画定された密閉手段蓋キャビティの容積の方が小さい。蓋領域に必要な熱可塑性材料の方が少ない。したがって、小端部が第１の型部品の蓋領域の型面領域９３に隣接するように（かつ第２の型部品１００が続けて閉鎖されるときに第２の型部品の蓋成形面に隣接するように）、ビレット６０が方向付けされる。
【００６１】
さらに、図１３を参照すると、型キャビティの密閉手段本体と密閉手段蓋部との間のヒンジ領域は、密閉手段本体及び密閉手段蓋部に比べてかなり薄く、又は小さいことが理解できよう。ヒンジ部は本体部よりも小さく、蓋部はヒンジ部よりも大きい。型キャビティのヒンジ部は、第１の型部品９０及び第２の型１００の閉鎖時に、非常に小さな流れ領域を示し、熱可塑性材料の流れを制限する傾向がある。本発明によれば、ビレット６０は型部品のヒンジ領域に隣接して配置され、熱可塑性材料が、型キャビティのかなり薄いヒンジ領域を完全に満たすためにわずかな量の横方向流れのみを必要とするようにする。これにより、ヒンジ領域は、確実に必要量の熱可塑性材料で急速かつ完全に満たされる。
【００６２】
ビレットの両端部がそれぞれ本体型キャビティ部と蓋型キャビティ部とに隣接して配置されるようにビレット６０を配置することは、熱可塑性材料がビレット端部からキャビティの本体及び蓋部全体を直接通って流れることに適応しており、熱可塑性材料が本体キャビティ領域から薄いヒンジ・キャビティ領域を通して蓋キャビティ領域へ、又はその逆へ流れる必要がない。
【００６３】
熱可塑性材料が凝固して密閉手段を形成すると、型部品間の空間が増加して、成形された密閉手段が取り外される。
【００６４】
本発明の教示により圧縮成形可能な物品の代替例が図１４〜図１７に示され、参照符号２０Ａで全体が示される。図１４に見られるように、物品２０Ａは、本体２２Ａと、蓋２４Ａと、本体２２Ａ及び蓋２４Ａの間に延びてこれらを接続するヒンジ２６Ａとを有する比較的単純な容器である。本体２２Ａ及び蓋２４Ａと比べて、ヒンジ２６Ａはかなり薄く、含まれる熱可塑性材料がはるかに少ない。
【００６５】
図１５に示すように、第１の型部品９０Ａは、容器本体の第１の側を画定する第１の面領域９１Ａと、ヒンジ２６Ａの第１の側を画定する第２の面領域９２Ａと、蓋２４Ａの第１の側を画定する第３の面領域９３Ａとを含む。
【００６６】
図１５は、上側又は第２の型部品（図示せず）と協働して、図１４に示す成形開放位置にある容器２０Ａを形成するための下側又は第１の型部品９０Ａをさらに示す。図１５は、所定の形状を有し、第１の型部品９０Ａに対して所定の位置に所定の方向で配置されたビレット６０Ａの形状の熱可塑性材料を示す。図示した好ましい実施形態では、ビレット６０Ａが第１の型部品９０Ａの第２の面領域９２Ａに接触して配置され、初めに第２の面領域９２Ａにより支持される。
【００６７】
ビレット６０Ｂは、好ましくは、前記ビレット６０を形成するための方法と類似した方法で形成される。特に、ビレット６０Ａは押出成形機により熱可塑性材料の溶融物から押し出され、板に画定されたオリフィスを通して計量ポンプにより供給される。オリフィスは、図１６に示すビレット６０Ａの平面視形状と同一の平面形状又は構成を有する。しかし、オリフィスの寸法はビレット６０Ａよりもやや小さく、ビレット６０Ａはオリフィスの排出側で熱可塑性材料の膨張又は膨らみにより形成される。
【００６８】
ビレット６０Ａは、適宜のナイフを使用して手で、又は図９及び図１０に示すビレット６０の切断に関して前記した装置等の適宜の装置により、オリフィスの排出面で押出溶融物から切断される。このような装置は、切断されたビレット６０Ａを保持して型部品に隣接する適宜の位置に移送し、型部品に対して所定の方向にビレット６０Ａを方向付けするための取上げ載置特徴を含む。ビレット６０Ａの取上げ及び配置は完全に手動のプロセスであるか、又は適宜の装置により自動化される。ビレットを取上げて配置するために使用する特定の方法及び／又は装置は、本発明の一部を形成するものではない。
【００６９】
図１６の平面図に見られるように、ビレット６０Ａは１つの大端部６２Ａと減幅延長部６３Ａとを有する。減幅延長部６３Ａは、減幅部６５Ａとわずかに拡大した端部６７Ａとを有する。一般に、大端部６２Ａはドッグ・ボーン端部形状である。
【００７０】
ビレット６０Ａは、大きなドッグ・ボーン端部形状６２Ａが型部品の大きな本体キャビティ内に延びるように方向付けされる。減幅領域６５Ａは、幅が狭く薄いヒンジ領域９２Ａ上に方向付けされる。ビレット６０Ａの他端部では、端部６７Ａが型部品の容積が小さい蓋領域上に延びる。
【００７１】
図１７に示すように、第１の型部品９０Ａが下側型部品として水平に方向付けされ、ビレット６０Ａが第１の型部品の第２の面領域９２Ａ上に配置されると、ビレット６０Ａがやや垂れ下がるため、ビレット端部６２Ａ、６７Ａが、下側型部品９０Ａにより画定された型キャビティの領域内にやや垂れ下がる。
【００７２】
ビレット６０Ａが第１の型部品９０Ａに対して所定の位置及び方向に適切に配置されると、ビレット６０Ａは第１の型部品９０Ａと第２の型部品（図示せず）との間で圧縮される。第２の型部品は、本体の第２の側を画定する第１の面領域と、ヒンジの第２の側を画定する第２の面領域と、蓋の第２の側を画定する第３の面領域とを有する。ビレット圧縮ステップは、２つの型部品を共に移動させて２つの型部品間の距離を短くすることにより行われる。プロセスは、下側の第１の型部品を静止した状態に維持しながら、上側の第２の型部品のみを静止した第１の型部品に向かって移動させることができる。あるいは、プロセスは、上側の型部品を静止した状態に維持しながら、下側の第１の型部品を静止した上側の型部品に向かって移動させることができる。また、下側型部品及び上側型部品の各々を互いに向かって同時に移動させることもできる。
【００７３】
ビレット６０Ａの形状及び型部品に対するビレット６０Ａの方向により、ビレット大端部６２Ａは、第１の型面領域９１Ａにより一部が画定された大きな本体型キャビティに隣接して配置される。したがって、最大量の熱可塑性材料を必要とする物体本体が、主にビレット大端部６２Ａにある熱可塑性材料の隣接する大きな塊から圧縮成形される。
【００７４】
薄いヒンジ領域９２Ａは熱可塑性材料をそれほど必要としないため、ビレット減幅部６５Ａ（図１６）は第１の型部品面９２Ａにより画定されたヒンジ領域に隣接して配置される。小さなビレット部６５Ａは、ちょうどヒンジ領域に配置されるので、ヒンジを画定する型キャビティ領域を完全に満たすために熱可塑性材料があまり遠くまで流れる必要がない。
【００７５】
蓋が必要とする熱可塑性材料はヒンジ部よりも多いが本体よりも少なく、蓋は、圧縮成形ステップ中に、主に蓋型面領域９３Ａに隣接するビレット端部６７Ａからの熱可塑性材料で完全に満たされる。圧縮成形ステップ中に、熱可塑性材料がヒンジ領域を通して蓋領域から本体領域へ、又は本体領域から蓋領域へ流れる必要はほとんどないか、又は全くない。圧縮されたビレット６０Ａの別の部分からの溶融プラスチックは、型キャビティの周囲領域に直接、急速に流れて熱可塑性材料を適切に分配し、材料を無駄にすることなく、ほぼ応力のない状態で型領域内のすべての空隙容積を完全に満たすことができる。
【００７６】
熱可塑性材料が凝固して物品２０Ａを形成すると、型部品間の空間が増加して、物品が取り外される。
【００７７】
物品２０Ａ及び前記密閉手段２０を成形するためのプロセスは、現在使用されている射出成形方法に比べてかなり高速で、非常に有利な全体コストで行われる。
【００７８】
本発明のプロセスは、普通の形状又は不規則な形状で、対称形又は非対称形の、熱可塑性分配密閉手段を含む成形品での使用に容易に適用することができる。
【００７９】
熱可塑性材料の押出成形によるビレットの形成は、ビレット６０、６０Ａに関して前記した以外の方向に行ってもよいことを理解されたい。例えば、ビレットを、（ビレット６０、６０Ａの形成を表す添付図面に示すように、重力に対して）ほぼ上方に形成するのではなく、水平又は下方に形成してもよい。
【００８０】
型部品を垂直移動するようにほぼ水平に方向付けする必要はないことも理解されたい。代わりに、（１）ビレットを型部品に対して所定の位置及び方向に配置し、（２）型部品が閉鎖するまでその位置を維持するために適切なシステムを使用していれば、型部品の分割面を傾斜して、又は垂直に方向付けしてもよい。
【００８１】
本発明は、型キャビティのすべての空隙を効果的かつ適切に満たすように、かつほぼ応力のない成形品を生じさせる方法で、熱可塑性材料の流れを制御し収容しなければならない、２つの大きな領域を接続する小さな、又は薄い領域を有する、一般的なタイプの種々の圧縮成形品を提供するのに使用することができる。
【００８２】
本発明の前記の詳細な説明及び図面から、本発明の新規の概念又は原理の真の精神及び範囲から逸脱することなく多くの変更及び修正を加えることができることが容易に明らかになろう。
【図面の簡単な説明】
【００８３】
【図１】本発明のプロセスの一形態により成形された分配密閉手段の形状を有する、本発明による物品の実施例の斜視図であり、蓋を閉じて密閉手段を容器に取り付ける（図示せず）前の成形されたままの状態で蓋が開いた密閉手段を示す図である。
【図２】密閉手段の上面図である。
【図３】図２の面３−３に概ね沿って取った横断面図である。
【図４】本発明のプロセスの一形態で図１〜図３に示す密閉手段を圧縮成形するのに使用される、熱可塑性材料の溶融物から形成されたペレット又はビレットの斜視図である。
【図５】図４に示すビレットの上面図である。
【図６】出口オリフィスが図４及び図５に示すビレットの生成に使用される、押出成形機のギヤ・ポンプの排出側にある出口オリフィス板の平面図である。
【図７】ギヤ・ポンプ板の出口オリフィスから熱可塑性材料が排出される間にビレットが形成される状態を示す簡略化した概略斜視図である。
【図８】図７の面８−８にほぼ沿って取った簡略化した概略横断面図である。
【図９】取外し装置がギヤ・ポンプの出口オリフィスからビレットを取り外し始める状態を示す簡略化した概略斜視図である。
【図１０】図９の面１０−１０にほぼ沿って取った簡略化した概略横断面図である。
【図１１】図１〜図３に示す密閉手段を圧縮成形するための型アセンブリで使用される第１の（下側）型部品の簡略化した部分概略上面斜視図であり、ビレットが第１の型部品の面に対して方向付けされて配置された状態を示す図である。
【図１２】図１１に示す型装置の上面図である。
【図１３】熱可塑性材料が型部品間の空隙容積を満たすようにビレットを圧縮する閉鎖状態にある型アセンブリの、第１の（下側）型部品と第２の（上側）型部品との簡略化した概略横断面図である。
【図１４】本発明の原理により圧縮成形することのできる、本体と、本体及び蓋の間に延びる薄いヒンジにより接続された蓋とを持つ箱である物品の、別の実施例の簡略化した概略横断面図である。
【図１５】図１４に示す物品を圧縮成形するための第２の（上側）型部品（図示せず）と共に型アセンブリで使用することのできる第１の（下側）型部品の簡略化した概略斜視図であり、第１の型部品に対して方向付けされて配置された熱可塑性材料のペレット又はビレットを示す図である。
【図１６】図１５に示す型部品及びビレットの平面図である。
【図１７】図１６の面１７−１７にほぼ沿って取った横断面図である。
【図１】
2005514227.tif 000003
【図２】
2005514227.tif 000004
【図３】
2005514227.tif 000005
【図４】
2005514227.tif 000006
【図５】
2005514227.tif 000007
【図６】
2005514227.tif 000008
【図７】
2005514227.tif 000009
【図８】
2005514227.tif 000010
【図９】
2005514227.tif 000011
【図１０】
2005514227.tif 000012
【図１１】
2005514227.tif 000013
【図１２】
2005514227.tif 000014
【図１３】
2005514227.tif 000015
【図１４】
2005514227.tif 000016
【図１５】
2005514227.tif 000017
【図１６】
2005514227.tif 000018
【図１７】
2005514227.tif 000019
【国際調査報告】
2005514227.tif 000020